(57)【要約】【課題】現場において設定装置を用いて機器の設定を行っている状態において、関連するプロセスの状態がより容易に把握できるようにする。【解決手段】対応情報取得部１０７が、要求受付部１０６が受け付けた画面閲覧要求が備える機器タグ情報に対応する制御タグ情報を対応データ記憶部１０５より取得し、接続確立部１０８が、対応情報取得部１０７が取得した制御タグ情報で識別されるフィールド機器１３１の接続先となっている入力点または出力点について、制御システム１４１で用いられる運転画面を設定装置１２０で閲覧可能とするリモート接続を、設定装置１２０と制御システム１４１との間で確立する。【選択図】  図１
2016170570.tif 000002
【特許請求の範囲】
【請求項１】
制御対象機器が接続される制御システムで用いられる前記制御対象機器の接続先となっている入力点または出力点を識別する制御タグ情報と、機器管理装置における前記制御対象機器を識別する機器タグ情報とを組み合わせた対応データが記憶された対応データ記憶部と、
前記制御対象機器が設置されている現場において前記制御対象機器に接続されて前記制御対象機器の設定を行うための設定装置から送出された機器タグ情報を備える画面閲覧要求を受け付ける要求受付部と、
前記要求受付部が受け付けた画面閲覧要求が備える機器タグ情報に対応する制御タグ情報を前記対応データ記憶部より取得する対応情報取得部と、
前記対応情報取得部が取得した制御タグ情報で識別される制御対象機器の接続先となっている入力点または出力点に関して前記制御システムで用いられる運転画面を前記設定装置で閲覧可能とするリモート接続を、前記設定装置と前記制御システムとの間で確立する接続確立部と
を備えることを特徴とする運転画面表示システム。
【請求項２】
制御対象機器が接続される制御システムで用いられる前記制御対象機器の接続先となっている入力点または出力点を識別する制御タグ情報と、それらと制御ループを構成する機能ブロックの情報をともに保持する制御ループ構成タグ情報と、機器管理装置における前記制御対象機器を識別する機器タグ情報とを組み合わせた対応データが記憶された対応データ記憶部と、
前記制御対象機器が設置されている現場において前記制御対象機器に接続されて前記制御対象機器の設定を行うための設定装置から送出された機器タグ情報を備える画面閲覧要求を受け付ける要求受付部と、
前記要求受付部が受け付けた画面閲覧要求が備える機器タグ情報に対応する制御タグ情報を前記対応データ記憶部より取得する対応情報取得部と、
前記対応情報取得部が取得した制御タグ情報で識別される制御対象機器の接続先となっている入力点または出力点に関して前記制御システムで用いられる運転画面を前記設定装置で閲覧可能とするリモート接続を、前記設定装置と前記制御システムとの間で確立する接続確立部と
を備えることを特徴とする運転画面表示システム。
【請求項３】
請求項１または２記載の運転画面表示システムにおいて、
前記対応情報取得部が取得した制御タグ情報で識別される制御対象機器の接続先となっている入力点または出力点において、前記制御システムで用いられる複数の運転画面のいずれかを選択させるための選択指示を前記設定装置に送出する画面選択送出部を備え、
前記要求受付部は、前記画面選択送出部の前記選択指示の送出により前記設定装置より送出された選択情報を受け付け、
前記接続確立部は、前記要求受付部が受け付けた選択情報で特定される監視画面を前記設定装置で閲覧可能とするリモート接続を、前記設定装置と前記制御システムとの間で確立する
ことを特徴とする運転画面表示システム。
【発明の詳細な説明】
【技術分野】
【０００１】
本発明は、フィールド機器などの制御対象の機器に対応する運転画面を表示する運転画面表示システムに関する。
【背景技術】
【０００２】
例えば、建築物に付帯している各設備やプラントなどの監視制御には制御システムが用いられ、さらに機器管理装置が用いられている場合がある（特許文献１参照）。例えば、機器管理装置は、フィールドバスなどのネットワークにより接続している現場に設置されたプロセス機器や各種センサなどのフィールド機器との間で信号をやりとりし、従来では可搬型端末を現場でフィールド機器に直結して行っていた較正を上位からのパラメータ設定で行うことができ、また、フィールド機器が正常に動作している状態に関する診断結果を表示し、例えば、警報などの発令を行っている。
【０００３】
また、このような制御では、多数のフィールド機器を制御対象とするため、制御システムでは、ブロックに分割して各ブロックに制御を行うコントローラを配置し、複数のコントローラを用いて分散制御を行うようにしている。
【０００４】
例えば、図５に示すように、制御ステーション２０１には、ブロック毎に設けられたコントローラ２０２が接続し、複数のコントローラ２０２の各々に複数のＩ／Ｏモジュール２０３が接続し、また、各Ｉ／Ｏモジュール２０３に、複数のフィールド機器２０４が接続している。制御ステーション２０１には、ネットワーク２１１を介して複数のコントローラ２０２が接続し、各Ｉ／Ｏモジュール２０３には、信号線２１２により複数のフィールド機器２０４が接続している。
【０００５】
コントローラ２０２には、Ｉ／Ｏモジュール２０３を介してセンサなどのフィールド機器２０４からの各入力や、バルブポジショナなどのフィールド機器２０４からの開度出力の各々が個別に接続するＩ／Ｏデータポイントを備えている。
【０００６】
このような制御システムにおいて、故障や定期交換や定期点検など保守のために、フィールド機器が設置されている現場で、フォールド機器を交換し、またフィールド機器の設定を行う場合がある。このような場合、携帯型の設定装置が用いられている（特許文献２参照）。
【先行技術文献】
【特許文献】
【０００７】
【特許文献１】特開２０１２−０１４３８８号公報
【特許文献２】特開２００７−０８０１９４号公報
【発明の概要】
【発明が解決しようとする課題】
【０００８】
ところで、上述した携帯型の設定装置は、フィールド機器などの設定対象機器を確実に特定し、簡単に設定できるように構成されている。しかしながら、設定対象機器以外の状態を容易に確認することができない。このため、フィールド機器に対する設定の変更によって変動する可能性がある関連プロセス全体の挙動を把握することができない。このようなプロセス全体の把握は、制御ステーションで監視しているオペレータにより確認される。このため、フィールド機器が設置されている現場においてプロセス全体の動きを把握しようとする場合、オペレータと協力し、電話などで制御ステーションで見える状況を伝えてもらうなどの形態で実施することになる。上述したように、従来では、現場において設定装置を用いて機器の設定を行っている状態では、設定中の機器と関連するプロセスの状態を把握することが容易ではないという問題があった。
【０００９】
本発明は、以上のような問題点を解消するためになされたものであり、フィールド機器が設置されている現場において設定装置を用いて機器の設定を行っている状態において、関連するプロセスの状態がより容易に把握できるようにすることを目的とする。
【課題を解決するための手段】
【００１０】
本発明に係る運転画面表示システムは、制御対象機器が接続される制御システムで用いられる制御対象機器の接続先となっている入力点または出力点を識別する制御タグ情報と、機器管理装置における制御対象機器を識別する機器タグ情報とを組み合わせた対応データが記憶された対応データ記憶部と、制御対象機器が設置されている現場において制御対象機器に接続されて制御対象機器の設定を行うための設定装置から送出された機器タグ情報を備える画面閲覧要求を受け付ける要求受付部と、要求受付部が受け付けた画面閲覧要求が備える機器タグ情報に対応する制御タグ情報を対応データ記憶部より取得する対応情報取得部と、対応情報取得部が取得した制御タグ情報で識別される制御対象機器の接続先となっている入力点または出力点に関して制御システムで用いられる運転画面を設定装置で閲覧可能とするリモート接続を、設定装置と制御システムとの間で確立する接続確立部とを備える。
【００１１】
また、本発明に係る運転画面表示システムは、制御対象機器が接続される制御システムで用いられる制御対象機器の接続先となっている入力点または出力点を識別する制御タグ情報と、それらと制御ループを構成する機能ブロックの情報をともに保持する制御ループ構成タグ情報と、機器管理装置における制御対象機器を識別する機器タグ情報とを組み合わせた対応データが記憶された対応データ記憶部と、制御対象機器が設置されている現場において制御対象機器に接続されて制御対象機器の設定を行うための設定装置から送出された機器タグ情報を備える画面閲覧要求を受け付ける要求受付部と、要求受付部が受け付けた画面閲覧要求が備える機器タグ情報に対応する制御タグ情報を対応データ記憶部より取得する対応情報取得部と、対応情報取得部が取得した制御タグ情報で識別される制御対象機器の接続先となっている入力点または出力点に関して制御システムで用いられる運転画面を設定装置で閲覧可能とするリモート接続を、設定装置と制御システムとの間で確立する接続確立部とを備える。
【００１２】
上記運転画面表示システムにおいて、対応情報取得部が取得した制御タグ情報で識別される制御対象機器の接続先となっている入力点または出力点において、制御システムで用いられる複数の運転画面のいずれかを選択させるための選択指示を設定装置に送出する画面選択送出部を備え、要求受付部は、画面選択送出部の選択指示の送出により設定装置より送出された選択情報を受け付け、接続確立部は、要求受付部が受け付けた選択情報で特定される監視画面を設定装置で閲覧可能とするリモート接続を、設定装置と制御システムとの間で確立する。
【発明の効果】
【００１３】
以上説明したことにより、本発明によれば、現場において設定装置を用いて機器の設定を行っている状態において、関連するプロセスの状態がより容易に把握できるという優れた効果が得られる。
【図面の簡単な説明】
【００１４】
【図１】図１は、本発明の実施の形態における運転画面表示システム１０１の構成を示す構成図である。
【図２】図２は、運転画面の構成例を示す構成図である。
【図３】図３は、運転画面の構成例を示す構成図である。
【図４】図４は、実施の形態における運転画面表示システム１０１の動作例を説明するためのフローチャートである。
【図５】図５は、ブロックに分割して各ブロックに制御を行う制御システムの構成を示す構成図である。
【発明を実施するための形態】
【００１５】
以下、本発明の実施の形態について図を参照して説明する。図１は、本発明の実施の形態における運転画面表示システム１０１の構成を示す構成図である。まず、機器情報システム１０１は、制御接続データ記憶部１０２，定義データ記憶部１０３，対応データ生成部１０４，対応データ記憶部１０５，要求受付部１０６，対応情報取得部１０７，接続確立部１０８を備える。
【００１６】
制御接続データ記憶部１０２は、制御システム１４１に図示しないネットワークで接続されるフィールド機器（制御対象機器）１３１の接続先となっている入力点または出力点を制御システム１４１において識別する制御タグ情報の項目を含む接続状態を示す制御接続データを記憶する。例えば、制御システム１４１において用いられている以下の表１に例示する制御接続データが、制御接続データ記憶部１０２に記憶される。
【００１７】
【表１】
2016170570.tif 000003
【００１８】
定義データ記憶部１０３は、機器管理装置（不図示）におけるフィールド機器１３１を識別する機器タグ情報の項目を含むフィールド機器１３１を定義するための定義データを記憶する。例えば、機器管理装置で用いられている以下の表２に例示する定義データが、定義データ記憶部１０３に記憶されている。
【００１９】
【表２】
2016170570.tif 000004
【００２０】
対応データ生成部１０４は、制御接続データ記憶部１０２に記憶されている制御接続データと、定義データ記憶部１０３に記憶されている定義データとを組み合わせ、フィールド機器１３１の制御タグ情報に機器タグ情報を組み合わせた対応データを生成する。例えば、対応データ生成部１０４は、以下の表３に例示する対応データを生成する。また、生成した対応データは、対応データ記憶部１０５に記憶される。
【００２１】
【表３】
2016170570.tif 000005
【００２２】
要求受付部１０６は、フィールド機器１３１が設置されている現場において制御対象機器に接続されてフィールド機器１３１の設定を行うための設定装置１２０から送出された機器タグ情報を備える画面閲覧要求を受け付ける。設定装置１２０は、運転画面表示システム１０１が接続するネットワーク１５１に収容されている。ネットワーク１５１は、例えば無線ＬＡＮ（Local Area Network）であり、フィールド機器１３１が制御システム１４１や機器管理装置と接続するネットワークとは異なる。
【００２３】
対応情報取得部１０７は、要求受付部１０６が受け付けた画面閲覧要求が備える機器タグ情報に対応する制御タグ情報を対応データ記憶部１０５より取得する。接続確立部１０８は、対応情報取得部１０７が取得した制御タグ情報で識別されるフィールド機器１３１の接続先となっている入力点または出力点について、制御システム１４１で用いられる運転画面を設定装置１２０で閲覧可能とするリモート接続を、設定装置１２０と制御システム１４１との間で確立する。
【００２４】
ここで、設定装置１２０は、要求送出部１２１，対象機器情報記憶部１２２，設定制御部１２３，入力部１２４，接続確立部１２５，表示部１２６を備える。
【００２５】
要求送出部１２１は、入力部１２４からの指示入力により、運転画面表示システム１０１に対し、自装置が接続しているフィールド機器１３１の機器タグ情報とともに、画面の閲覧要求を送出する。対象機器情報記憶部１２２は、設定のために設定装置１２０が接続しているフィールド機器１３１の機器タグ情報や機器ＩＤを記憶する。
【００２６】
設定制御部１２３は、例えば、入力部１２４より受け付けた設定変更指示などにより、接続しているフィールド機器１３１の設定を変更する。また、設定制御部１２３は、接続しているフィールド機器１３１より、機器タグおよび機器ＩＤを読み出して対象機器情報記憶部１２２に記憶する。
【００２７】
接続確立部１２５は、接続確立部１０８からの制御により、フィールド機器１３１の接続先となっている入力点または出力点に関して制御システム１４１で用いられる運転画面を設定装置１２０で閲覧可能とするリモート接続を、制御システム１４１との間で確立する。リモート接続の確立により、制御システム１４１の制御ステーションなどにおいてオペレータが視認している表示部に表示される運転画面が、設定装置１２０の表示部１２６にも表示されるようになる。
【００２８】
また、運転画面表示システム１０１は、画面選択送出部１０９を備える。画面選択送出部１０９は、対応情報取得部１０７が取得した制御タグ情報で識別されるフィールド機器１３１の接続先となっている入力点または出力点について、制御システム１４１で用いられる複数の運転画面のいずれかを選択させるための選択指示を設定装置１２０に送出する。
【００２９】
例えば、フィールド機器１３１の接続先となっている入力点または出力点に関して制御システム１４１で用いられる運転画面には、図２に示すような全パラメータの確認および設定ができる詳細画面や、図３に示すように、フィールド機器１３１の接続先となっている入力点または出力点が関連する制御ループに含まれる、機能ブロックや制御ループを構成するフィールド機器への入力点または出力点の情報がまとめて示されるグループ画面などがある。図３に例示するグループ画面では、グループ番号００１で示される制御ループに、制御タグ情報ＦＩ００２で示されるフィールド機器からのアナログ入力点、ＦＩＣ００２で示されるＰＩＤ機能ブロック、ＦＸ００２で示されるフィールド機器へのアナログ出力点が存在していることを示している。
【００３０】
上述した各運転画面の情報は、例えば、制御システム１４１で保持している制御接続データにおいて、制御タグで識別される各フィールド機器への入力点または出力点あるいは機能ブロック毎に設定されている。このような制御接続データを参照することで、フィールド機器１３１の制御システム１４１で用いられる複数の運転画面が特定できる。また、制御システム１４１より警報情報を取得し、同じ制御ループ内で警報が発生しているフィールド機器に関する運転画面を選択対象としても良い。
【００３１】
画面選択送出部１０９が選択指示を送出したことにより設定装置１２０より送出（返信）された選択情報は、要求受付部１０６で受け付けられる。このように、要求受付部１０６が、選択情報を受け付けると、接続確立部１０８は、受け付けた選択情報で特定される運転画面を設定装置１２０で閲覧可能とするリモート接続を、設定装置１２０と制御対象装置との間で確立する。
【００３２】
以下、運転画面表示システム１０１の動作について図４のフローチャートを用いて説明する。まず、ステップＳ１０１で、要求受付部１０６が、設定装置１２０から送出された機器タグ情報を備える画面閲覧要求を受け付ける。設定装置１２０では、操作している作業者の入力部１２４からの指示入力により、要求送出部１２１が、運転画面表示システム１０１に対し、接続しているフィールド機器１３１の機器タグ情報や機器ＩＤとともに画面閲覧要求を送出している。機器タグ情報や機器ＩＤは、対象機器情報記憶部１２２に記憶されている。送出された画面閲覧要求は、ネットワーク１５１を経由して要求受付部１０６に受け付けられる。
【００３３】
次に、ステップＳ１０２で、対応情報取得部１０７が、要求受付部１０６が受け付けた画面閲覧要求が備える機器タグ情報に対応する制御タグ情報を対応データ記憶部１０５より取得する。
【００３４】
次に、ステップＳ１０３で、画面選択送出部１０９は、対応情報取得部１０７が取得した制御タグ情報で識別されるフィールド機器１３１の接続先となっている入力点または出力点について、制御システム１４１で用いられる複数の運転画面のいずれかを選択させるための選択指示を設定装置１２０に送出する。この選択指示を受け付けた設定装置１２０では、選択指示に含まれている複数の画面情報を表示部１２６に表示する。この表示を視認した作業者の入力部１２４からの選択指示入力により、要求送出部１２１が、選択された運転画面の情報（選択情報）を運転画面表示システム１０１に対して送出する。
【００３５】
次に、ステップＳ１０４で、送出された選択情報を要求受付部１０６が受け付ける。次に、ステップＳ１０５で、接続確立部１０８が、受け付けた選択情報で特定される運転画面を設定装置１２０で閲覧可能とするリモート接続を、設定装置１２０と制御システム１４１との間で確立する。この接続確立は、接続確立部１０８からの制御による接続確立部１２５の動作により行われる。運転画面は、制御タグ情報で識別されるフィールド機器１３１の制御システム１４１で用いられる複数の運転画面の中の１つである。
【００３６】
以上のことにより、設定装置１２０の表示部１２６には、制御システム１４１でオペレータが視認している運転画面が表示されるようになり、設定装置１２０を操作している作業者にも視認可能となる。なお、設定装置１２０の側では、運転画面の視認は可能であるが、運転画面を用いた設定変更などは制限されている。
【００３７】
以上に説明したように、本発明によれば、現場における設定装置においても制御システムにおける運転画面が視認可能となるので、現場において設定装置を用いて機器の設定を行っている状態において、関連するプロセスの状態がより容易に把握できるようになる。また、現場にいる作業者と、制御システム（制御ステーション）のオペレータとが、同一の画面を見る状態となるので、両者の間の伝達がより円滑となる。
【００３８】
なお、本発明は以上に説明した実施の形態に限定されるものではなく、本発明の技術的思想内で、当分野において通常の知識を有する者により、多くの変形および組み合わせが実施可能であることは明白である。
【符号の説明】
【００３９】
１０１…運転画面表示システム、１０２…制御接続データ記憶部、１０３…定義データ記憶部、１０４…対応データ生成部、１０５…対応データ記憶部、１０６…要求受付部、１０７…対応情報取得部、１０８…接続確立部、１０９…画面選択送出部、１２０…設定装置、１２１…要求送出部、１２２…対象機器情報記憶部、１２３…設定制御部、１２４…入力部、１２５…接続確立部、１２６…表示部、１３１…フィールド機器（制御対象機器）、１４１…制御システム。
【図１】
2016170570.tif 000006
【図４】
2016170570.tif 000007
【図５】
2016170570.tif 000008
【図２】
2016170570.tif 000009
【図３】
2016170570.tif 000010